(57)【特許請求の範囲】
【請求項１】
ＰＳ(packet switched)ＲＡＴ(radio access technology)からＣＳ(circuit switched)ＲＡＴへのフォールバック手順を実施する方法であって、
ページングメッセージを前記ＰＳ  ＲＡＴを介してＷＴＲＵ(wireless transmit/receive unit)で受信するステップであって、前記ページングメッセージはＷＴＲＵ識別子およびドメイン標識を含み、前記ページングメッセージ内の前記ＷＴＲＵ識別子はＳ一時移動加入者識別子であり、かつ、前記ドメイン標識は前記ページングメッセージが前記ＣＳ  ＲＡＴ上のサービスに関するかどうかを示す、ステップと、
前記ページングメッセージ内の前記ＷＴＲＵ識別子は、前記受信側ＷＴＲＵの保管済み識別子と一致するかを判定するステップと、
前記ページングメッセージ内の前記ＷＴＲＵ識別子が前記受信側ＷＴＲＵの前記保管済み識別子と一致するという条件で、前記ＣＳ  ＲＡＴへのフォールバック手順を実行するステップと、
前記ＷＴＲＵに割り当てられたＣＳ  ＲＡＴ体系の識別子を使用して前記ページングメッセージに応答するステップであって、前記ＣＳ  ＲＡＴ体系の識別子は、国際移動加入者識別情報である、ステップと
を含むことを特徴とする方法。
【請求項２】
前記実行するステップは、前記ＷＴＲＵが前記ＣＳ  ＲＡＴへフォールバックすることを示すためのメッセージを前記ＰＳ  ＲＡＴで送るステップを含むことを特徴とする請求項１に記載の方法。
【請求項３】
ＷＴＲＵ(wireless transmit/receive unit)であって、
アンテナ、
前記アンテナと通信する受信機、
前記アンテナと通信する送信機、および
前記受信機および前記送信機と通信するプロセッサであって、前記プロセッサは、
ページングメッセージをＰＳ  ＲＡＴを介して受信することであって、前記ページングメッセージはＷＴＲＵ識別子およびドメイン標識を含み、前記ページングメッセージ内の前記ＷＴＲＵ識別子はＳ一時移動加入者識別子であり、かつ、前記ドメイン標識は、ＣＳ(circuit switched)ＲＡＴ上のサービスに関するページングメッセージであるかどうかを示す、こと、
前記ページングメッセージ内の前記ＷＴＲＵ識別子は、前記ＷＴＲＵの保管済み識別子と一致するかを判定すること、
前記ページングメッセージ内の前記ＷＴＲＵ識別子が前記ＷＴＲＵの前記保管済み識別子と一致するという条件で前記ＣＳ  ＲＡＴへのフォールバック手順を実行すること、および
前記ＷＴＲＵに割り当てられたＣＳ  ＲＡＴ体系の識別子を使用して前記ページングメッセージに応答することであって、前記ＣＳ  ＲＡＴ体系の識別子は、国際移動加入者識別情報である、こと、を行うように構成されている、プロセッサと
を備えたことを特徴とするＷＴＲＵ。
【請求項４】
前記プロセッサはさらに、メッセージを前記ＰＳ  ＲＡＴで送ることにより、前記ＣＳ  ＲＡＴへの前記フォールバック手順を開始するように構成されていることを特徴とする請求項３に記載のＷＴＲＵ。
【請求項５】
ＰＳ(packet switched)ＲＡＴ(radio access technology)からＣＳ(circuit switched)ＲＡＴへのフォールバック手順を実施する方法であって、
前記ＰＳ  ＲＡＴでＷＴＲＵ(wireless transmit/receive unit)のページングを開始するステップと、
ページングメッセージを前記ＰＳ  ＲＡＴを介して前記ＷＴＲＵに送るステップであって、前記ページングメッセージはＷＴＲＵ識別子およびドメイン標識を含み、前記ページングメッセージ内の前記ＷＴＲＵ識別子はＳ一時移動加入者識別子であり、かつ、前記ドメイン標識は前記ページングメッセージが前記ＣＳ  ＲＡＴ上のサービスに関するかどうかを示す、ステップと、
フォールバック開始メッセージを前記ＰＳ  ＲＡＴを介して前記ＷＴＲＵから受信するステップと、
ページング応答メッセージを前記ＷＴＲＵから受信するステップであって、前記ページング応答メッセージは前記ＷＴＲＵのＣＳ  ＲＡＴ体系の識別子を含み、前記ＣＳ  ＲＡＴ体系の識別子は、国際移動加入者識別情報である、ステップと
を含むことを特徴とする方法。
【発明の詳細な説明】
【技術分野】
【０００１】
本願はワイヤレス通信に関する。
【背景技術】
【０００２】
３ＧＰＰ(Third Generation Partnership Project）ＬＴＥ（Long Term Evolution）プログラムの目標は、新しいＬＴＥ設定および構成に関して新しい技術、新しいアーキテクチャおよび新しい方法を開発することである。これらの機能は、スペクトル効率の改善、待ち時間の短縮、無線リソースの利用率の改善を行うために開発が続けられている。これらの機能は、より少ない費用で、ユーザ体験をより迅速にし、用途をより豊富にし、かつサービスを改善するように意図されている。
【０００３】
ＬＴＥは、ＰＳ(Packet Switched)専用の無線技術である。レガシーＧＳＭ(Global System for Mobile Communications)との後方移動性をサポートすることが望ましい。ＧＳＭなどのレガシーＣＳ(Circuit Switched)ネットワークとのインターワークのために、ＩＭＳ(IP Multimedia Core Network Subsystem)ネットワークがデプロイされると期待されていた。具体的には、ＶＣＣ(Voice Call Continuity)が、ＶｏＩＰ(Voice over Internet Protocol)手法を使用して音声呼をＬＴＥ  ＰＳネットワークからレガシーＣＳネットワークにハンドオーバするために使用される手法であることが期待されていた。ＩＭＳデプロイメントはＬＴＥデプロイメントから切り離すことが望ましい。言い換えると、初期には音声呼用の現在デプロイされているＣＳインフラストラクチャを使用し、ＬＴＥを高速のＰＳサービス専用にデプロイすることが望ましい。この理由のため、ＬＴＥは、マルチモードＷＴＲＵ(wireless transmit/receive unit)が、ＬＴＥおよびＧＳＭならびに／またはＷＣＤＭＡ(Wideband Code Division Multiple Access)などにより、高速のＰＳデータトラフィック用としてはＬＴＥネットワークを使用し、音声トラフィック用としては、ＶＣＣなどのいずれのＩＭＳ機能も使用せずに、レガシーＣＳネットワークに復帰できるようにすることが望ましい。
【０００４】
ＷＴＲＵがＥ−ＵＴＲＡＮネットワークを介してＥＰＳ(Evolved Packet System)に接続されるとき、ＮＡＳ(Non Access Stratum)レイヤ接続(layer Attach)メッセージは、ＷＴＲＵをＣＳドメインでも接続する必要があることをネットワークに示すためにＣＳフォールバック標識を含むことができる。すると、図１に示されているように、ＭＭＥ(Mobility Management Entity)がＷＴＲＵに代わってＣＳドメインとの接続を実行することができ、その後、接続受諾メッセージによってプロセスが完了したことを示すことができる。ＥＰＳでのＣＳフォールバックのための接続手順は、３ＧＰＰ標準ＴＳ  ２３．０６０で規定されているとおりに、組合せ型ＧＰＲＳ(General Packet Radio Service)/ＩＭＳＩ(International Mobile Subscriber Identifier）接続手順に基づいて実現することができる。
【０００５】
図１は、接続手順を実行するための方法１００の流れ図である。方法１００では、ＷＴＲＵ１０２、ＭＭＥ１０４、ＭＳＣ／ＶＬＲ(mobile swiching center/visitor location register）１０６、およびＨＳＳ(home subscriber server)１０８間でメッセージが交換される。ＷＴＲＵ１０２は、３ＧＰＰ標準ＴＳ  ２３．４０１で規定されているパラメータ、およびＣＳフォールバック標識(indicator)を含めて、接続要求メッセージをＭＭＥ１０４に送信することにより、接続手順を開始する（ステップ１１０）。ＣＳフォールバック標識は、ＷＴＲＵ１０２がＣＳフォールバックを使用することができて、ＣＳフォールバックを使用するように構成されていることを示す。
【０００６】
ＥＰＳ接続手順は、３ＧＰＰ標準ＴＳ  ２３．４０１で規定されているとおりに実行される（ステップ１１２）。接続要求メッセージが組合せ型更新(Combined Update)標識を含む場合、ＶＬＲ１０６は、３ＧＰＰ標準ＴＳ  ２３．０６０の組合せ型ＧＰＲＳ／ＩＭＳＩ接続手順に従って更新される（ステップ１１４）。ＶＬＲ番号は、ＴＡＩ(Tracking Area Identity)から引き出される。ＭＭＥ１０４は、第１の加入者データ挿入メッセージをＨＳＳ１０８から受信すると、新しいＭＳＣ／ＶＬＲに対して位置更新手順を開始する。この動作は、ＶＬＲ１０６内に、ＷＴＲＵ１０２はＥＰＳ接続済みというマークを付ける。
【０００７】
ＭＭＥ１０４は、新しいＬＡＩ(Location Area Identity)、ＩＭＳＩ、ＭＭＥアドレスまたは位置更新タイプなど、位置の更新要求メッセージをＶＬＲ１０６に送信する（ステップ１１６）。新しいＬＡＩは、ＭＭＥ１０４内でＴＡ（Tracking Area）からのマッピングに基づいて決定される。マップされたＬＡＩは、ＧＥＲＡＮ(GSM EDGE Radio Access Network)宛でも、またはＵＴＲＡＮ(UMTS Terrestrial Radio Access Network)宛でもよい。
【０００８】
ＶＬＲ１０６は、ＭＭＥアドレスを保管することにより、ＭＭＥ１０４との関連を作成する（ステップ１１８）。ＶＬＲ１０６は、ＣＳドメイン内で位置更新手順を実行する。ＶＬＲ１０６は、ＶＬＲ  ＴＭＳＩ(Temporary Mobile Subscriber Identity)などの位置の更新受諾メッセージでＭＭＥ１０４に応答する。ＭＭＥ１０４は、３ＧＰＰ標準ＴＳ  ２３．４０１で規定されているとおりのパラメータ、ＬＡＩ（Location Area Identity）およびＶＬＲ  ＴＭＳＩ（割り当てられている場合）を含めて、接続受諾メッセージをＷＴＲＵに送信する（ステップ１２４）。ＬＡＩ（および、ＶＬＲ  ＴＭＳＩが割り振られていれば、ＶＬＲ  ＴＭＳＩ）が存在していれば、ＣＳドメインへの接続が成功したことを示している。
【０００９】
図２は、アイドルモードの時にＷＴＲＵが呼を終了する方法２００の流れ図である。方法２００では、ＷＴＲＵ２０２、ｅＮＢ２０４、ＭＭＥ２０６、ＲＮＣ(radio network controller)またはＢＳＣ(base station controller)２０８、ＭＳＣ／ＶＬＲ２１０、ＨＳＳ２１２、およびＧＭＳＣ(gateway mobile switching center)２１４間でメッセージが交換される。
【００１０】
方法２００は、ＧＭＳＣ２１４がＩＡＭ(initial address message)を受信することから始まる（ステップ２２０）。ＧＭＳＣ２１４は、終了するＷＴＲＵの経路指定情報をＳＲＩ(Send Routing Info)手順を使用して検索する（ステップ２２２）。ＧＭＳＣ２１４は、終了する側のＭＳＣ２１０にＩＡＭを送信する（ステップ２２４）。
【００１１】
ＭＭＥ  ２０６は、ＭＳＣ２１０からＳＧｓインターフェースを介してページング（ＩＭＳＩ、ＶＬＲ  ＴＭＳＩ、または位置情報）情報を受信する（ステップ２２６）。ＭＳＣ２１０から受信されたＴＭＳＩ（またはＩＭＳＩ）は、無線インターフェース上のページングアドレスとして使用されるＳＴＭＳＩを見つけるためにＭＭＥ２０６によって使用される。ＭＭＥ２０６によって知られている位置情報が信頼できる場合（すなわち、ＭＭＥがＴＡのリストを保管している場合）、ＭＭＥ２０６はすべてのＴＡ内のＷＴＲＵ２０２をページングする。ＭＭＥ２０６がＷＴＲＵ２０２用の保管済みＴＡリストを有していない場合、ＭＭＥ２０６は、ＭＳＣから受信した位置情報を使用してＷＴＲＵをページングする。事前ページングがデプロイされる場合、この手順は、ステップ２２４の前で、ＭＳＣ２１０がＨＳＳ２１２からＭＡＰ＿ＰＲＮメッセージを受信した直後に行われる。
【００１２】
ＭＭＥ２０６はページングメッセージを各ｅＮＢ２０４に送信する（ステップ２２８）。ページングメッセージは、適切なＷＴＲＵ識別情報（すなわち、Ｓ−ＴＭＳＩまたはＩＭＳＩ）、およびどのドメイン（ＣＳまたはＰＳ）がページングメッセージを開始したかを示すＣＮ(core network)ドメイン標識を含んでいる。この場合、ドメイン標識は、ＭＭＥ２０６によって「ＣＳ」に設定される。ｅＮＢ２０４はＷＴＲＵ２０２をページングし（ステップ２３０）、ページングメッセージは、適切なＷＴＲＵ識別情報（すなわち、Ｓ−ＴＭＳＩまたはＩＭＳＩ）およびＣＳドメイン標識を含む。
【００１３】
ＷＴＲＵ２０２はＲＲＣ接続を確立し、拡張サービス要求（ＣＳフォールバック標識）をＭＭＥ２０６に送信する（ステップ２３２）。ＷＴＲＵ２０２は、ＲＲＣシグナリング中にそのＳ−ＴＭＳＩを示す。拡張サービス要求メッセージは、ＲＲＣメッセージおよびＳ１  ＡＰメッセージにカプセル化される。ＣＳフォールバック標識は、ＭＭＥ２０６に、ＷＴＲＵ２０６用のＣＳフォールバックが必要であることを示す。ＭＭＥ２０６は「Ｓ１  ＡＰ：初期ＷＴＲＵコンテキストセットアップ（ＷＴＲＵ機能、ＣＳフォールバック標識および他のパラメータを含む）」を送信して、ｅＮＢ２０４に、ＷＴＲＵ２０２をＵＴＲＡＮ／ＧＥＲＡＮに移動させるように指示する（ステップ２３４）。
【００１４】
次の処置では、２つのオプション、すなわち、ターゲットＲＡＴがＰＳ  ＨＯ(handover)機能を有するか否かの選択がある。ターゲットＲＡＴがＰＳ  ＨＯ機能を有する場合、ＣＳフォールバック標識付きの初期ＷＴＲＵコンテキストセットアップメッセージを受信すると、ｅＮＢ２０４は、オプションでＷＴＲＵ２０２に測定レポートを依頼して、ＰＳハンドオーバが行われるターゲットセルを決定することができる（ステップ２３６）。次にＰＳハンドオーバが実行され、ＰＳハンドオーバの一部として、ＷＴＲＵ２０２は、ＣＳフォールバック標識を含むことができるＨＯをＥ−ＵＴＲＡＮコマンドから受信し、そのＣＳフォールバック標識が、ＷＴＲＵ２０２に対して、ＣＳフォールバック要求のためにハンドオーバがトリガされたことを示す。Ｅ−ＵＴＲＡＮコマンドからのＨＯがＣＳフォールバック標識を含んでいる場合、ＷＴＲＵ２０２がターゲットＲＡＴとの接続を確立できないと、ＷＴＲＵ２０２はＣＳフォールバックが失敗したと見なす。
【００１５】
ターゲットＲＡＴがＰＳ  ＨＯ機能を有さない場合、ＣＳフォールバック標識付きの初期ＷＴＲＵコンテキストセットアップメッセージを受信すると、ｅＮＢ２０４は、オプションでＷＴＲＵに測定レポートを依頼して、ＷＴＲＵ２０２を宛先変更するためのターゲットセルを決定することができる（ステップ２３６）。その後、ｅＮＢ２０４は、ＣＳ可能なＲＡＴに変更するための宛先変更情報（ＲＡＴ、周波数およびセル情報を含む）を使ってＲＲＣ接続を解放する。オプションとして、ｅＮＢ２０４は、ＧＥＲＡＮ用のＮＡＣＣ(Network Assisted Cell Change)手順を使用してＲＡＴ間システム情報を提供することができる。この場合には、ＷＴＲＵ２０２は、ＣＳフォールバック標識を含むことができるＲＡＴ間セル変更オーダを受信し、そのＣＳフォールバック標識が、ＷＴＲＵ２０２に対して、ＣＳフォールバック要求のためにセル変更オーダがトリガされたことを示す。ＲＡＴ間セル変更オーダがＣＳフォールバック標識を含んでいる場合、ＷＴＲＵ２０２がターゲットＲＡＴとの接続を確立できないと、ＷＴＲＵ２０２はＣＳフォールバックが失敗したと見なす。
【００１６】
ＷＴＲＵ２０２が（例えば、システム情報または宛先変更情報に基づいて）新しいＵＴＲＡＮ／ＧＥＲＡＮセルのＬＡ／ＲＡ情報を入手した場合、その新しいセルのＬＡ／ＲＡが、ＷＴＲＵ２０２に保管されているＬＡ／ＲＡと異なっていれば、ＷＴＲＵ２０２は、ターゲットシステムがＮＭＯ(Network Mode of Operation)Ｉで動作している場合、ＬＡ更新、または、組合せ型ＲＡ／ＬＡ更新手順を実行する（ステップ２３８）。ＷＴＲＵ２０２はＭＳＣ２１０に対してページ応答メッセージで次のように応答する。
【００１７】
ターゲットＲＡＴがＵＴＲＡＮまたはＧＥＲＡＮ  Ｉｕモードの場合、ＷＴＲＵ２０２は、ＲＲＣ接続を確立し、ページングメッセージに対して、ＲＲＣ初期直接転送メッセージで応答する。初期直接転送メッセージ内のＣＮドメイン標識が「ＣＳ」に設定される。ページング応答メッセージがＲＮＣ２０８で受信されると、そのページング応答メッセージはＲＡＮＡＰ初期ＷＴＲＵメッセージに入れられてＭＳＣ２１０に送信される（ステップ２４２）。
【００１８】
ターゲットＲＡＴがＧＥＲＡＮ  Ａ／Ｇｂモードの場合、ＷＴＲＵ２０２は、３ＧＰＰ  ＴＳ  ４４．０１８で規定されている手順を使用してＲＲ接続を確立する（すなわち、ＷＴＲＵ２０２は、専用チャネルを要求し、それが割り当てられ、その専用チャネルでＷＴＲＵ２０２は、ＢＳＳに、レイヤ３サービス要求メッセージ＝ＰＡＧＩＮＧ  ＲＥＳＰＯＮＳＥを含むＳＡＢＭ（Set Asynchronous Balanced Mode）を送信し、ＢＳＳは、ＵＡを送信することにより応答する）。３ＧＰＰ  ＴＳ  ４４．０１８に記載されているとおりの主シグナリングリンクを確立した後、ＷＴＲＵ２０２はデュアル転送モードまたは専用モードになり、ＣＳ呼確立手順は完了する。ページング応答メッセージがＢＳＣ２０８で受信されると、そのページング応答メッセージは、ＢＳＳＡＰ完了レイヤ３情報メッセージに入れられてＭＳＣに送信される。ＢＳＳは、このＢＳＳによって対応するページング要求が送信されていない場合でも、ページング応答を受信する準備ができていなければならない。また、ＭＳＣ２１０も、ＣＳページングメッセージが送信されてから比較的長時間経た後はページング応答を受信する準備ができていなければならない（ステップ２２６）。
【００１９】
２Ｇ／３ＧセルにサービングするＭＳＣが、ＬＴＥへのキャンプオン中にＷＴＲＵ２０２にサービングしていたＭＳＣと同じ場合、ＭＳＣはページング応答タイマを停止させ、ＣＳ接続を確立する（ステップ２４４）。
【００２０】
ページング応答を受信するＭＳＣがページング要求を送信したＭＳＣと異なる場合、および、ＬＡ更新または組合せ型ＲＡ／ＬＡ更新が実行されなかった場合、ＭＳＣは、Ａ／Ｉｕ−ｃｓ接続を解放することにより、ページ応答を拒否する（ステップ２４６）。次いで、ＲＮＣ／ＢＳＣ２０８がＲＲＣ／ＲＲ接続を解放する（ステップ２４８）。ＲＲＣ／ＲＲが解放されと、ＷＴＲＵ２０２は、次のようにＬＡ更新を実行する。（ステップ２５０）。ターゲットシステムガＭＮＯ(Network Mode of Operation)Ｉで動作している場合、ＷＴＲＵ２０２は、組合せ型ＲＡ／ＬＡ更新を実行する。ターゲットシステムがＭＮＯ  Ｉで動作している時、ＣＳ音声呼が終了した後もＷＴＲＵ２０２がＵＴＲＡＮ／ＧＥＲＡＮに留まっている場合、および、組合せ型ＲＡ／ＬＡ更新がまだ実行されていない場合、ＷＴＲＵ２０２は、組合せ型ＲＡ／ＬＡ更新手順を実行する。この手順は、ＭＳＣ／ＶＬＲ２１０とＳＧＳＮ間のＧｓ関連付けを作成するため、およびＳＧｓ関連付けを解放するために使用される。
【００２１】
ターゲットシステムがＭＮＯＩＩまたはＩＩＩで動作している場合、ＷＴＲＵ２０２は、ＭＳＣ２１０に対してＬＡ更新を実行する。ＬＡ更新が実行されると、ＣＳフォールバック用ローミング再試行手順がトリガされる。ターゲットシステムがＭＮＯＩＩまたはＩＩＩで動作している時、ＣＳ音声呼が終了した後もＷＴＲＵ２０２がＵＴＲＡＮ／ＧＥＲＡＮに留まっている場合、および、ＬＡ更新がまだ実行されていない場合、ＷＴＲＵ２０２はＬＡ更新手順を実行する。この手順は、ＭＳＣ／ＶＬＲ２１０とＭＭＥ２０６間のＳＧｓ関連付けを解放するために使用される。
【００２２】
ＷＴＲＵがアイドルモードになっている場合、ネットワークはＷＴＲＵの位置および接続状態を認識しないので、ページングを開始できることに留意されたい。ＷＴＲＵが接続済みモードになっている場合、すなわち、ＷＴＲＵがネットワークに接続されている場合、ＷＴＲＵのページングは不要であり、ネットワークは専用メッセージによってＷＴＲＵに容易に到達することができる。専用メッセージの例の一つにＣＳサービス通知メッセージがある。
【００２３】
図３は、アクティブモードにあるＭＯ(mobile originated)呼の準備段階のための方法３００の流れ図である。方法３００では、ＷＴＲＵ３０２、ｅＮＢ３０４、ＢＳＳ３０６、ＭＭＥ３０８、ＭＳＣ３１０、ＳＧＳＮ３１２、およびサービングＧＷ  ３１４間でメッセージが交換される。ＷＴＲＵ３０２は、ＣＳ呼要求メッセージをｅＮＢ  ３０４に送信する（ステップ３２０）。ｅＮＢ３０４は、オプションでＷＴＲＵ３０２に測定レポートを要求して、ＰＳハンドオーバが行われるターゲットＧＥＲＡＮ／ＵＴＲＡＮセルを決定することができる（ステップ３２２）。
【００２４】
ＷＴＲＵ３０２が移動中の時、ＷＴＲＵを別のｅＮＢおよび／またはＢＳＳにハンドオーバして、ＷＴＲＵとネットワーク間の接続を維持する（すなわち、再割り当てプロセスを実行する）ことが必要な場合がある。ｅＮＢ３０４は、再割り当て必要メッセージをＭＭＥ３０８に送信する（ステップ３２４）。ＭＭＥ３０８は、再割り当て要求メッセージをＳＧＳＮ３１２に転送する（ステップ３２６）。ＳＧＳＮ３１２は、ＰＳハンドオーバ要求メッセージをＢＳＳ３０６に送信する（ステップ３２８）。ＳＧＳＮ３１２は、ターゲットＢＳＳ内で無線リソースを予約し（ステップ３３０）、ターゲットＢＳＳは、ターゲットＢＳＳからソースＢＳＳへの透過コンテナを作成する（ステップ３３２）。ＢＳＳ３０６は、ＰＳハンドオーバ要求肯定応答メッセージをＳＧＳＮ  ３１２に送信する（ステップ３３４）。ＳＧＳＮ３１２は、再割り当て応答メッセージをＭＭＥ  ３０８に転送する（ステップ３３６）。このステップの完了後、ＷＴＲＵ３０２はターゲットＢＳＳにハンドオーバされる。
【００２５】
図４は、アクティブモードにあるＭＯ呼の実行段階のための方法４００の流れ図である。方法４００では、ＷＴＲＵ４０２、ｅＮＢ４０４、ＢＳＳ４０６、ＭＭＥ４０８、ＭＳＣ４１０、ＳＧＳＮ４１２、およびサービングＧＷ４１４間でメッセージが交換される。ＷＴＲＵ４０２とｅＮＢ４０４間で、必要に応じてサービングＧＷ  ４１４を利用してアップリンクおよびダウンリンクペイロードＰＤＵが交換される（ステップ４２０）。ＭＭＥ４０８は、再割り当てコマンドをｅＮＢ４０４に送信し（ステップ４２２）、それによって、ｅＮＢ４０４は、Ｅ−ＵＴＲＡＮからのハンドオーバコマンドをＷＴＲＵ４０２に送信する（ステップ４２４）。
【００２６】
ＷＴＲＵ４０２およびｅＮＢ４０４はＧＥＲＡＮ  Ａ／Ｇｂアクセス手順を実行し（ステップ４２６）、ＷＴＲＵ４０２は、ＸＩＤ応答メッセージをＢＳＳ４０６に送信する（ステップ４２８）。ＢＳＳ４０６はＰＳハンドオーバ完了メッセージをＳＧＳＮ４１２に送信し（ステップ４３０）、ＸＩＤ応答メッセージをＳＧＳＮ４１２に転送する（ステップ４３２）。また、この時点で、ＷＴＲＵ４０２がアップリンクパケットデータをｅＮＢ４０４に送信する（ステップ４３４）。
【００２７】
ターゲットＲＡＴがＧＥＲＡＮの場合、ＷＴＲＵ４０２は、ＣＭ（Connection Management）サービス要求付きのＳＡＢＭメッセージをＢＳＳ４０６に送信する（ステップ４３６）。ＢＳＳ４０６は、ＣＭサービス要求付きの完全なレイヤ３情報をＭＳＣ４１０に転送し、これによって、ＧＥＲＡＮセル内でＣＳリソースが割り振られたことを示す（ステップ４３８）。ＢＳＳ４０６は、ＣＭサービス要求付きのＵＡを送信することによりＷＴＲＵ４０２に応答し、これによって、ＳＡＢＭメッセージに肯定応答したことになる（ステップ４４０）。すると、ＷＴＲＵ４０２はＣＳ呼確立手順を開始する（ステップ４４２）。
【００２８】
「Ｅ−ＵＴＲＡＮからのハンドオーバ」コマンド（ステップ４２４）の処理の一部に、ＳＧＳＮ４１２がハンドオーバ完了メッセージを受信することが含まれる。ハンドオーバ完了メッセージを受信すると、ＳＧＳＮ  ４１２は、再割り当て転送完了メッセージをＭＭＥ４０８に送信してＰＳハンドオーバ手順の完了を示す（ステップ４４４）。ＭＭＥ４０８は、再割り当て転送完了肯定応答メッセージをＳＧＳＮ４１２に送信することによりＳＧＳＮ４１２に応答するｓ（ステップ４４６）。
【００２９】
ＳＧＳＮ４１２は、ＰＤＰコンテキスト更新要求メッセージを、新しいＳＧＳＮアドレス、ＴＥＩＤ(tunnel endpoint identifier)およびネゴシエーション済みＱｏＳ(quality of service)を含めてサービングＧＷに送信し（ステップ４４８）、オプションで、ＩＰパケットをサービングＧＷ４１４に送信する（ステップ４５０）。サービングＧＷ４１４はＰＤＰコンテキストフィールドを更新し、ＰＤＰコンテキスト更新応答メッセージを（ＴＥＩＤを含めて）ＳＧＳＮ４１２に送信する（ステップ４５２）。この時点で、サービングＧＷ４１４は、新しい着信ダウンリンクＩＰパケットをソースｅＮＢではなくＳＧＳＮ４１２に送信する（ステップ４５４）。ダウンリンクＩＰパケットは次にＢＳＳ４０６に転送され（ステップ４５６）、最終的にＷＴＲＵ４０２に転送される（ステップ４５８）。
【００３０】
ＷＴＲＵ４０２およびＳＧＳＮ４１２は、ＬＬＣ  ＡＤＭ用にＸＩＤネゴシエーション手順を実行する（ステップ４６０）。ＷＴＲＵ４０２およびＳＧＳＮ４１２は、ＬＬＣ  ＡＢＭ用にもＸＩＤネゴシエーション手順を実行する（ステップ４６２）。ネゴシエートすべきＬＬＣレイヤパラメータに応じて、ＸＩＤネゴシエーション手順（ＡＤＭ用およびＡＢＭ用）の１つまたは両方を実行できることに留意されたい。ＷＴＲＵ４０２は、アップリンクデータパケットを送信することが可能な場合、経路指定エリア更新手順をトリガする（ステップ４６４）。
【発明の概要】
【発明が解決しようとする課題】
【００３１】
上述の手順を実行しても、対処する必要がある問題が２つある。すなわち、組合せ型位置エリア更新／トラッキングエリア更新、およびページングに使用するＷＴＲＵの識別情報である。
【００３２】
１．組合せ型位置エリア更新／トラッキングエリア更新
１つの問題は、Ｅ−ＵＴＲＡＮ内にある間はＣＳドメインに接続されたままになっているために必要な組合せ型ＬＡＵ(Location Area Update)／ＴＡＵ(Tracking Area Update)手順に関する。レガシーＧＰＲＳでは、ＲＡ(routing area)は、ＬＡ(location area)のサブセットであった。システム情報は、ＬＡＩ(location area identity)およびＲＡＩ(routing area identity)の両方を同報通信していた。ＬＡ内の変化はＲＡ内の変化を表したが、その逆はなかった。ＬＴＥシステム情報において、周辺のレガシーＧＳＭ／ＵＭＴＳ  ＣＳネットワークのＬＡコードを同報通信する規定はない。加えて、ＴＡとＬＡ間に事前に定義された関係があることは想定されていない。したがって、この問題は次のように言うことができる。すなわち、ＷＴＲＵは、組合せ型ＴＡＵ／ＬＡＵ手順がトリガされる必要があるかをどのようにして判定するか？
【００３３】
２．ページング用のＷＴＲＵ識別情報
第２の問題は、ページング用のＷＴＲＵ識別情報に関する。ＬＴＥでは、ページング用のＷＴＲＵ識別情報は、Ｓ−ＴＭＳＩ(S Temporary Mobile Subscriber Identity)である。しかし、ＷＴＲＵは、ＬＴＥ内で、ＩＭＳＩを介してページングメッセージに応答するようには想定されていない。レガシーＧＳＭでは、ＷＴＲＵは、ＴＭＳＩを使用しても、ＩＭＳＩを使用してもページングすることができる。
【００３４】
ＷＴＲＵが、組合せ型ＥＰＳ／ＩＭＳＩ接続手順または組合せ型ＴＡＵ／ＬＡＵ手順を実行すると、ＭＳＣ／ＶＬＲは、ページング用にＷＴＲＵにＴＭＳＩを割り当てるか、ＷＴＲＵのＩＭＳＩを使用する。ＴＭＳＩは、それが割り当てられたＬＡ内でのみ一意である。ＬＡとＴＡ間には関係がないため、ＷＴＲＵは、アイドルモードの時、事前に割り当てられたＴＭＳＩが無効の可能性があるＬＡにまたがる可能性がある。図５は、ＷＴＲＵが、同じＴＡ（ＴＡ１）内にある間に、ＭＭＥに対してＴＡ更新手順を実行せずに２つの異なるＬＡ、例えば、ＬＡ１およびＬＡ２間をまたぐ想像上のシナリオを示している。この状況での問題は、ＷＴＲＵをどのように適切にページングするかである。
【００３５】
ＬＴＥサービスに接続するための接続手順中（図１に示されたとおり）、ネットワークは、ＷＴＲＵにＩＤ番号を割り振らなければならない（Ｓ−ＴＭＳＩを含むＧＵＴＩ(Global Unique Temporary Identifier)）。ＷＴＲＵへのすべてのページングメッセージがＷＴＲＵの識別子としてＳ−ＴＭＳＩを使用する。既存の手順では、ネットワークがＩＭＳＩを使用してＷＴＲＵをページングする場合、ＩＭＳＩを使用してＷＴＲＵをページングできるように適切なパラメータをネットワークのデータベースに作成するためにＷＴＲＵはネットワークから切り離され、次いでネットワークに再接続されると想定される。１つの例として、ＧＳＭでは、ＷＴＲＵは常にＩＭＳＩを有し、ネットワークによって割り当てられていれば、ＴＭＳＩも有することができる。しかし、ＶＬＲはＴＭＳＩをＷＴＲＵに割り振る必要はない。ＬＴＥでは、ＭＭＥがＧＵＴＩを割り振らなければならず、そこにＳ−ＴＭＳＩが含まれる。ＶＬＲがＴＭＳＩをＷＴＲＵに割り振らないで、ＷＴＲＵのＩＭＳＩを接続受諾メッセージで送り返す場合、ＷＴＲＵは、それが保管したすべてのＴＭＳＩを削除しなければならない。その結果、ＷＴＲＵは、ＩＭＳＩによってのみページングできる。しかし、ＷＴＲＵがＣＳドメイン内でＩＭＳＩによってのみページングできる場合、ＬＴＥでは、ＷＴＲＵはＩＭＳＩによってページングすることができず、Ｓ−ＴＭＳＩによってページングしなければならないので問題がある。
【課題を解決するための手段】
【００３６】
ＷＴＲＵは、割り当てられたＩＭＳＩを使用することによってページングできる。既存のメッセージングに追加されるビットは、ＣＮドメインがＣＳであることを示すことができるため、ＷＴＲＵは、ＩＭＳＩを使用してＣＳページを受信していることを認識する。ＷＴＲＵが、ＧＥＲＡＮまたはＵＴＲＡＮにフォールバックする（すなわち、Ｅ−ＵＴＲＡＮから離れる）場合、ＷＴＲＵは、ＭＳＣ／ＶＬＲへのページング応答メッセージの中でＩＭＳＩを使用しなければならない。さらに、ＷＴＲＵがＰＳドメインおよびＣＳドメインの両方に登録され、かつ、トラッキングエリア更新のための移動性管理手順がトリガされているときには、ＷＴＲＵは、組合せ型ＬＡＵ／ＴＡＵを指示する。
【図面の簡単な説明】
【００３７】
添付の図面と関連付けて例として記載された以下の説明から、より詳細な理解が得られる。
【図１】ＣＳフォールバック用の接続手順のシグナル図である。
【図２】アイドルモードの時にＷＴＲＵが呼を終了する方法のシグナル図である。
【図３】アクティブモードにあるＭＯ呼の準備段階のシグナル図である。
【図４】アクティブモードにあるＭＯ呼の実行段階のシグナル図である。
【図５】位置エリアとトラッキングエリア間の関係の例を示した図である。
【図６】複数のＷＴＲＵおよび１つのｅＮＢを含むワイヤレス通信システムの例を示した図である。
【図７】図６のＷＴＲＵおよびｅＮＢの例示の機能ブロック図である。
【図８】組合せ型ＴＡＵ／ＬＡＵ手順をトリガする方法のフローチャートである。
【図９】組合せ型ＴＡＵ／ＬＡＵ手順をトリガする別の方法のフローチャートである。
【図１０】ＬＡＵ手順をトリガする方法のフローチャートである。
【図１１】ＷＴＲＵ用のページング識別情報を判定する方法のフローチャートである。
【図１２】ＷＴＲＵ用のページング識別情報を判定する第２の方法のフローチャートである。
【図１３】ＷＴＲＵ用のページング識別情報を判定する第３の方法のフローチャートである。
【図１４】ＷＴＲＵ用のページング識別情報を判定する第４の方法のフローチャートである。
【発明を実施するための形態】
【００３８】
本明細書で言及する場合、「ＷＴＲＵ」という用語は、限定的ではないが、ユーザ機器、移動体局、固定または移動体加入者ユニット、ページャー、携帯電話、ＰＤＡ(personal digital assistant)、コンピュータ、またはワイヤレス環境で動作可能な任意の他のタイプのユーザデバイスを含む。それ以降に言及する場合、「基地局」という用語は、限定的ではないが、ノードＢ、サイトコントローラ、ＡＰ(access point)、またはワイヤレス環境で動作できる任意の他のタイプのインターフェースデバイスを含む。
【００３９】
当業者は、本明細書に記載される方法および装置は、回線交換またはパケット交換データを使用する任意のアクセス技術、例えば、３ＧＰＰ  ＬＴＥ、ＷＣＤＭＡ、ＧＳＭ、ＧＰＲＳ、ＥＤＧＥ(Enhanced Data for GSM Evolution)、ＣＤＭＡ(Code Division Multiple Access)２０００（および関連の技術）、ならびにＩＥＥＥ８０２技術ファミリー、例えば、８０２．１１、８０２．１６、およびＷｉＭＡＸなどに応用できることを理解すべきである。
【００４０】
図６は、複数のＷＴＲＵ６１０および１つのｅＮＢ６２０を含むワイヤレス通信システム６００の例を示している。図６に示すように、複数のＷＴＲＵ６１０が、ｅＮＢ６２０と通信する。ＷＴＲＵ６１０およびｅＮＢ６２０の構成例が図６に示されているが、ワイヤレス通信システム６００には、ワイヤレスデバイスおよびワイヤードデバイスの任意の組合せを含むことができる。
【００４１】
図７は、図６のワイヤレス通信システム６００のＷＴＲＵ６１０およびｅＮＢ６２０の例示の機能ブロック図７００である。図７に示すように、ＷＴＲＵ６１０は、ｅＮＢ６２０と通信する。
【００４２】
一般的なＷＴＲＵに備えることができる構成要素に加えて、ＷＴＲＵ６１０は、プロセッサ６１２、受信機６１４、送信機６１６、およびアンテナ６１８を含む。受信機６１４および送信機６１６はプロセッサ６１２と通信する。アンテナ６１８は、ワイヤレスデータの送信および受信を促すために受信機６１４および送信機６１６の両方と通信する。プロセッサ６１２は、Ｅ−ＵＴＲＡＮ内で回線交換継続性を維持する方法を実行するように構成される。
【００４３】
一般的なノードＢに備えることができる構成要素に加えて、ノードＢ６２０は、プロセッサ６２２、受信機６２４、送信機６２６、およびアンテナ６２８を含む。受信機６２４および送信機６２６は、プロセッサ６２２と通信する。アンテナ６２８は、ワイヤレスデータの送信および受信を促すために受信機６２４および送信機６２６の両方と通信する。プロセッサ６２２は、Ｅ−ＵＴＲＡＮ内で回線交換継続性を維持する方法を実行するように構成される。
【００４４】
組合せ型ＴＡＵ／ＬＡＵを実行するためのトリガ
組合せ型ＴＡＵ(tracking area update)／ＬＡＵ(location area update)を実行するための以下のトリガは、個別に、または任意の組合せで使用することができる。
【００４５】
システム情報の表示
Ｅ−ＵＴＲＡＮシステム情報は、周囲のＣＳネットワーク、例えば、ＧＳＭまたはＵＭＴＳなどのＬＡの表示を伝えることができる。この情報は、例えば、Ｅ−ＵＴＲＡＮシステム情報ブロック、例えば、ＳＩＢ１などで伝えることができる。この情報は、そのＬＡがＧＥＲＡＮネットワーク用に有効なのか、ＵＴＲＡＮネットワーク用に有効なのかを示すことができる。この情報は、ＷＴＲＵに対して、このエリアで組合せ型ＴＡＵ／ＬＡＵが必要であるかどうかを示すことができる。
【００４６】
現在Ｅ−ＵＴＲＡＮ内にあって、アイドルモードのＷＴＲＵは、Ｅ−ＵＴＲＡＮ内でＳＩＢ(System Information Block)によって同報通信されるＬＡ内の変化を検出したときに、組合せ型ＴＡＵ／ＬＡＵを開始することができる。図８は、組合せ型ＴＡＵ／ＬＡＵ手順をトリガする方法８００のフローチャートである。方法８００は、ＷＴＲＵが周囲のＣＳネットワークのＬＡを受信することから始まる（ステップ８０２）。ＷＴＲＵが現在Ｅ−ＵＴＲＡＮ内にあるかどうかの判定が行われる（ステップ８０４）。ＷＴＲＵが現在Ｅ−ＵＴＲＡＮ内にない場合、方法は終了する（ステップ８０６）。ＷＴＲＵが現在Ｅ−ＵＴＲＡＮ内にある場合、ＷＴＲＵがアイドルモードになっているかの判定が行われる（ステップ８０８）。ＷＴＲＵがアイドルモードでないときに、方法は終了する（ステップ８１０）。ＷＴＲＵがアイドルモードの時、ＷＴＲＵがＬＡ内で変化を検出したかの判定が行われる（ステップ８１０）。ＷＴＲＵがＬＡ内で変化を検出しなかった場合、方法は終了する（ステップ８０６）。ＷＴＲＵがＬＡ内で変化を検出した場合、ＷＴＲＵは、組合せ型ＴＡＵ／ＬＡＵ手順を開始し（ステップ８１２）、方法は終了する（ステップ８０６）。
【００４７】
タイマ
ＭＳＣ／ＶＬＲは、ＭＳＣ／ＶＬＲがＥ−ＵＴＲＡＮ上で、ＩＭＳＩ接続手順またはＬＡＵ要求手順を実行するとき、ＷＴＲＵにタイマを割り当てることができる。ＥＭＭ(Evolved Packet System Mobility Management)副レイヤがＥＭＭ接続済みモードまたはＥＭＭアイドルモードの場合でも、ＷＴＲＵがＥＰＳドメイン、ＣＳドメインまたはその両方で登録されている限り、このタイマはＮＡＳ内で作動し続けることができる。タイマが時間切れになると、ＷＴＲＵは組合せ型ＴＡＵ／ＬＡＵ手順を開始する。
【００４８】
図９は、組合せ型ＴＡＵ／ＬＡＵ手順をトリガする方法９００のフローチャートである。方法９００は、ＷＴＲＵがＥ−ＵＴＲＡＮ上で、ＩＭＳＩ接続手順またはＬＡＵ要求手順を実行することから始まる（ステップ９０２）。これらの手順の１つが実行された後、ＭＳＣ／ＶＬＲによってタイマが設定される（ステップ９０４）。タイマが時間切れになると（ステップ９０６）、ＷＴＲＵは、組合せ型ＴＡＵ／ＬＡＵ手順を開始し（ステップ９０８）、方法は終了する（ステップ９１０）。
【００４９】
ＳＩＭ(Subscriber Identity Module)カード
ＭＳＣ／ＶＬＲは、ＷＴＲＵがＬＡＵ要求を開始することなく、ＷＴＲＵのＳＩＭカードに保管すべき新しいＬＡＩについてＭＭＥを介してＷＴＲＵに知らせることができる。例として、接続済みモードで、ＭＭＥがＷＴＲＵは最後に登録されたＬＡと異なるＬＡＩに属するエリアにあると判定した場合、ＭＭＥがＷＴＲＵに代わってＬＡＵを開始することができる。そのようにする場合、ＭＭＥはＷＴＲＵに新しいＬＡＩおよびＩＭＳＩを送信する。ＭＭＥがＷＴＲＵのＩＭＳＩとＴＭＳＩ間の関係を作成して保持する場合、ＷＴＲＵ識別情報はＴＭＳＩであってよい。すると、ネットワークは、どのＮＡＳメッセージにおいても、新しいＬＡＩ（およびオプションで新しいＴＭＳＩ）を使ってＷＴＲＵを構成することができる。
【００５０】
図１０は、ＬＡＵ手順をトリガする方法１０００のフローチャートである。方法１０００は、ＷＴＲＵが新しいＬＡＩを有するエリアに移動することから始まる（ステップ１００２）。ＭＭＥがＷＴＲＵに代わってＬＡＵ手順を開始する（ステップ１００４）。ＭＭＥが新しいＬＡＩおよび新しいＩＭＳＩをＷＴＲＵに送信し（ステップ１００６）、方法は終了する（ステップ１００８）。
【００５１】
ＥＰＳ／ＩＭＳＩ接続済み
ＷＴＲＵがＥＰＳ／ＩＭＳＩ接続済みの場合にＴＡＵ要求をトリガする条件を検出すると、ＷＴＲＵは、ＴＡＵ要求とＬＡＵ要求を組み合わせる。ＴＡＵ要求をトリガする１つの条件は、ＷＴＲＵが、ＷＴＲＵによって以前に登録されていないＴＡのリストに対象のＴＡＩが含まれていないエリアに入るとき、すなわち、ＷＴＲＵが新しいエリアに入るときである。これが発生した場合、ＷＴＲＵは登録更新を実行する必要があり、これが組合せ型ＴＡＵ／ＬＡＵ手順である。
【００５２】
ＷＴＲＵ用のページング識別情報
ＷＴＲＵ用のページング識別情報を決定するための以下の手法は、個別に、または任意の組合せで使用することができる。
【００５３】
ＩＭＳＩ／ＴＭＳＩマッピング
ＭＭＥがＩＭＳＩ、ＴＭＳＩ（割り当てられている場合）、および対応するＳ−ＴＭＳＩ間のマッピングを保持することができる。ＭＳＣ／ＶＬＲがＥ−ＵＴＲＡＮ内でＩＭＳＩを使用してＭＴサービス用のページングを開始する場合、ＭＭＥは、ＩＭＳＩを対応するＳ−ＴＭＳＩにマッピングすることができる。ＭＭＥは次に、Ｅ−ＵＴＲＡＮ内で、Ｓ−ＴＭＳＩ、およびページメッセージ上の原因値の表示、例えば、ＣＳサービス、ＣＳフォールバック、ＭＴ  ＣＳ呼、ＭＴ  ＳＭＳ(Short Message Service）などを使用してＷＴＲＵをページングすることができる。ＷＴＲＵが、ページメッセージはＷＴＲＵ用の上位レイヤによって割り当てられた識別情報（ＴＭＳＩまたはＩＭＳＩ）に関するものであることを検出すると、ＷＴＲＵは、Ｅ−ＵＴＲＡＮネットワーク上で、拡張サービス要求メッセージを開始し、サービス要求用の原因値をページ応答に設定する。ＷＴＲＵがＧＳＭ／ＵＭＴＳ  ＣＳに宛先が変更される（フォールバックする）場合、ＷＴＲＵは、ＩＭＳＩを使用してページ応答を送信する。
【００５４】
図１１は、ＷＴＲＵ用のページング識別情報を判定する方法１１００のフローチャートである。ＭＭＥがＩＭＳＩ、ＴＭＳＩ、および対応するＳ−ＴＭＳＩ（割り当てられている場合）間のマッピングを保持する（ステップ１１０２）。ＭＳＣ／ＶＬＲが、Ｅ−ＵＴＲＡＮ内で、ＩＭＳＩを使用してＷＴＲＵのページングを開始する（ステップ１１０４）。ＭＭＥがＩＭＳＩを対応するＳ−ＴＭＳＩにマッピングする（ステップ１１０６）。ＭＭＥが、Ｅ−ＵＴＲＡＮ内で、Ｓ−ＴＭＳＩおよび原因値を使用してＷＴＲＵをページングする（ステップ１１０８）。ＷＴＲＵで、ページメッセージ内のＳ−ＴＭＳＩは、受信側ＷＴＲＵのＳ−ＴＭＳＩであるかの判定が行われる（ステップ１１１０）。一実施形態では、ＷＴＲＵは、ページメッセージ内のＳ−ＴＭＳＩを、ＷＴＲＵの、例えばＵＳＩＭ（Universal Subscriber Identity Module）カードに保管されるＳ−ＴＭＳＩと比較する。ページメッセージ内のＳ−ＴＭＳＩが受信側ＷＴＲＵのＳ−ＴＭＳＩでない場合、つまり、ページメッセージが受信側ＷＴＲＵ用に意図されていない場合、ページメッセージは破棄され（ステップ１１１２）、方法は終了する（ステップ１１１４）。
【００５５】
ページメッセージ内のＳ−ＴＭＳＩが受信側ＷＴＲＵのＳ−ＴＭＳＩである場合（ステップ１１１０）、ＷＴＲＵは、Ｅ−ＵＴＲＡＮ上で、拡張サービス要求メッセージを開始する（ステップ１１１６）。ＷＴＲＵは、次に、ＣＳサービス用のＧＳＭまたはＵＭＴＳにフォールバックする（ステップ１１１８）。ＣＳへのフォールバック完了後、ＷＴＲＵは、ＩＭＳＩを使用してページ応答メッセージを送信し（ステップ１１２０）、方法は終了する（ステップ１１１４）。
【００５６】
ＩＭＳＩページング
ＭＳＣ／ＶＬＲがＥ−ＵＴＲＡＮ内でＩＭＳＩを使用してＭＴサービス用のページングを開始する場合、ＭＭＥは、Ｅ−ＵＴＲＡＮ内でＩＭＳＩを使用してＷＴＲＵをページングすることができる。ＷＴＲＵが、ページメッセージの原因がＣＳサービス、例えば、ＣＳフォールバック、ＭＴ  ＣＳ呼、ＭＴ  ＳＭＳ、ＣＳドメイン標識などに関することを検出すると、ＷＴＲＵは、ページ要求を無視することもできないし、Ｅ−ＵＴＲＡＮから切り離すこともできないが、代わりにＥ−ＵＴＲＡＮネットワーク上で、拡張サービス要求メッセージを開始し、サービス要求の原因値をページ応答に設定する。ＷＴＲＵがＧＳＭ／ＵＭＴＳ  ＣＳに宛先変更される（フォールバックする）と、ＷＴＲＵは、ＩＭＳＩを使用してページ応答を送信する。
【００５７】
図１２は、ＷＴＲＵ用のページング識別情報を判定する方法１２００のフローチャートである。方法１２００は、ＭＳＣ／ＶＬＲがＥ−ＵＴＲＡＮ内でＩＭＳＩを使用してＷＴＲＵのページングを開始することから始まる（ステップ１２０２）。ＭＭＥがＥ−ＵＴＲＡＮ内でＩＭＳＩを使用してＷＴＲＵをページングする（ステップ１２０４）。ＷＴＲＵが、ページメッセージに関連付けられた原因値を検出し（ステップ１２０６）、そのページメッセージがＣＳサービスに関するかを判定する（ステップ１２０８）。ページングメッセージはＷＴＲＵ識別子（ＩＭＳＩなど）およびドメイン標識（ＣＳまたはＰＳに設定されている）を含む。ページメッセージがＣＳサービスに関していない場合、つまり、ドメイン標識がＰＳに設定されている場合、ＷＴＲＵは、Ｅ−ＵＴＲＡＮに再接続し（ステップ１２１０）、方法は終了する（ステップ１２１２）。
【００５８】
ページメッセージがＣＳサービスに関する場合、つまり、ドメイン標識がＣＳに設定されている場合（ステップ１２０８）、ＷＴＲＵは、Ｅ−ＵＴＲＡＮ上で、拡張サービス要求メッセージを開始する（ステップ１２１４）。ＷＴＲＵは、次に、ＣＳサービス用のＧＳＭまたはＵＭＴＳにフォールバックする（ステップ１２１６）。ＣＳへのフォールバック完了後、ＷＴＲＵは、ＩＭＳＩを使用してページ応答メッセージを送信し（ステップ１２１８）、方法は終了する（ステップ１２１２）。
【００５９】
Ｓ−ＴＭＳＩページング
ＭＭＥがＩＭＳＩ、ＴＭＳＩ（割り当てられている場合）、および対応するＳ−ＴＭＳＩ間のマッピングを保持することができる。ＭＳＣ／ＶＬＲがＥ−ＵＴＲＡＮ内でＴＭＳＩを使用してＭＴサービス用のページングを開始する場合、ＭＭＥはＴＭＳＩを対応するＳ−ＴＭＳＩにマッピングする。ＭＭＥは次に、Ｅ−ＵＴＲＡＮ内で、Ｓ−ＴＭＳＩを使用してＷＴＲＵをページングし、ページメッセージ上に原因値の表示、例えば、ＣＳサービス、ＣＳフォールバック、ＭＴ  ＣＳ呼、ＭＴ  ＳＭＳなどの表示を含む。ＷＴＲＵが、ページメッセージはＷＴＲＵ用の上位レイヤによって割り当てられた識別情報に関するものであることを検出すると、ＷＴＲＵは、Ｅ−ＵＴＲＡＮネットワーク上で、拡張サービス要求メッセージを開始し、サービス要求用の原因値をページ応答に設定する。ＷＴＲＵがＧＳＭ／ＵＭＴＳ  ＣＳに宛先変更される（フォールバックする）場合、ＷＴＲＵは、ＩＭＳＩを使用してページ応答を送信する。
【００６０】
図１３は、ＷＴＲＵ用のページング識別情報を判定する方法１３００のフローチャートである。ＭＭＥがＩＭＳＩ、ＴＭＳＩ、および対応するＳ−ＴＭＳＩ（割り当てられている場合）間のマッピングを保持する（ステップ１３０２）。ＭＳＣ／ＶＬＲが、Ｅ−ＵＴＲＡＮ内で、ＴＭＳＩを使用してＷＴＲＵのページングを開始する（ステップ１３０４）。ＭＭＥがＴＭＳＩを対応するＳ−ＴＭＳＩにマッピングする（ステップ１３０６）。ＭＭＥが、Ｅ−ＵＴＲＡＮ内で、Ｓ−ＴＭＳＩを使用してＷＴＲＵをページングし、原因値をページメッセージに含む（ステップ１３０８）。ＷＴＲＵで、ページメッセージ内のＳ−ＴＭＳＩは、受信側ＷＴＲＵのＳ−ＴＭＳＩであるかの判定が行われる（ステップ１３１０）。ページメッセージ内のＳ−ＴＭＳＩが受信側ＷＴＲＵのＳ−ＴＭＳＩでない場合、つまり、ページメッセージが受信側ＷＴＲＵ用に意図されていない場合、ページメッセージは破棄され（ステップ１３１２）、方法は終了する（ステップ１３１４）。
【００６１】
ページメッセージ内のＳ−ＴＭＳＩが受信側ＷＴＲＵのＳ−ＴＭＳＩである場合（ステップ１３１０）、ＷＴＲＵは、Ｅ−ＵＴＲＡＮ上で、拡張サービス要求メッセージを開始する（ステップ１３１６）。ＷＴＲＵは、次に、ＣＳサービス用のＧＳＭまたはＵＭＴＳにフォールバックする（ステップ１３１８）。ＣＳへのフォールバック完了後、ＷＴＲＵは、ＩＭＳＩを使用してページ応答メッセージを送信し（ステップ１３２０）、方法は終了する（ステップ１３１４）。
【００６２】
ＩＭＳＩページング
ＭＭＥがＩＭＳＩ、ＴＭＳＩ（割り振られている場合）、および対応するＳ−ＴＭＳＩ間のマッピングを保持することができる。ＭＳＣ／ＶＬＲがＥ−ＵＴＲＡＮ内でＴＭＳＩを使用してＭＴサービス用のページングを開始する場合、ＭＭＥはＴＭＳＩを対応するＳ−ＴＭＳＩにマッピングする。ＭＭＥは次に、Ｅ−ＵＴＲＡＮ内で、ＩＭＳＩを使用してＷＴＲＵをページングし、ページメッセージ上に原因値の表示、例えば、ＣＳサービス、ＣＳフォールバック、ＭＴ  ＣＳ呼、ＭＴ  ＳＭＳなどの表示を含む。ＷＴＲＵが、ページメッセージはＷＴＲＵ用の上位レイヤによって割り当てられた識別情報に関するものであることを検出すると、ＷＴＲＵは、ページ要求を無視することもできず、Ｅ−ＵＴＲＡＮから切り離されることも不可能であるが、その代わりにＥ−ＵＴＲＡＮネットワーク上で、拡張サービス要求メッセージを開始し、サービス要求用の原因値をページ応答に設定する。ＷＴＲＵがＧＳＭ／ＵＭＴＳ  ＣＳに宛先変更される（フォールバックする）と、ＷＴＲＵは、ＩＭＳＩを使用してページ応答を送信する。
【００６３】
図１４は、ＷＴＲＵ用のページング識別情報を判定する方法１４００のフローチャートである。ＭＭＥがＩＭＳＩ、ＴＭＳＩ、およびＳ−ＴＭＳＩ（割り当てられている場合）間のマッピングを保持する（ステップ１４０２）。ＭＳＣ／ＶＬＲがＥ−ＵＴＲＡＮ内でＴＭＳＩを使用してＷＴＲＵのページングを開始する（ステップ１４０４）。ＭＭＥがＴＭＳＩを対応するＩＭＳＩにマッピングする（ステップ１４０６）。ＭＭＥが、Ｅ−ＵＴＲＡＮ内で、ＩＭＳＩを使用してＷＴＲＵをページングし、原因値をページメッセージに含む（ステップ１４０８）。ＷＴＲＵで、ページメッセージ内のＩＭＳＩは、受信側ＷＴＲＵのＩＭＳＩであるかの判定が行われる（ステップ１４１０）。ページメッセージ内のＩＭＳＩが受信側ＷＴＲＵのＳ−ＴＭＳＩでない場合、つまり、ページメッセージが受信側ＷＴＲＵ用に意図されていない場合、ページメッセージは破棄され（ステップ１４１２）、方法は終了する（ステップ１４１４）。
【００６４】
ページメッセージ内のＩＭＳＩが受信側ＷＴＲＵのＩＭＳＩである場合（ステップ１４１０）、ＷＴＲＵは、Ｅ−ＵＴＲＡＮ上で、拡張サービス要求メッセージを開始する（ステップ１４１６）。ＷＴＲＵは、次に、ＣＳサービス用のＧＳＭまたはＵＭＴＳにフォールバックする（ステップ１４１８）。ＣＳへのフォールバック完了後、ＷＴＲＵは、ＩＭＳＩを使用してページ応答メッセージを送信し（ステップ１４２０）、方法は終了する（ステップ１４１４）。
【００６５】
実施形態
１．ＰＳ  ＲＡＴからＣＳ  ＲＡＴへのフォールバック手順を実施する方法は、ページングメッセージをＰＳ  ＲＡＴを介してＷＴＲＵで受信するステップであって、そのページングメッセージはＷＴＲＵ識別子およびドメイン標識を含み、そのドメイン標識はページングメッセージがＣＳ  ＲＡＴ上のサービスに関するかを示す、ステップと、ページングメッセージ内のＷＴＲＵ識別子は、受信側ＷＴＲＵの保管済み識別子と一致するかを判定するステップと、ページングメッセージ内のＷＴＲＵ識別子が受信側ＷＴＲＵの保管済み識別子と一致するという条件でＣＳ  ＲＡＴへのフォールバック手順を実行するステップと、ＷＴＲＵに割り当てられたＣＳ  ＲＡＴ体系の識別子を使用してページングメッセージに応答するステップとを含む。
【００６６】
２．ページングメッセージ内のＷＴＲＵ識別子は、Ｓ一時移動加入者識別情報である実施形態１に記載の方法。
【００６７】
３．ページングメッセージ内のＷＴＲＵ識別子は、国際移動加入者識別情報である実施形態１に記載の方法。
【００６８】
４．実行するステップは、ＷＴＲＵがＣＳ  ＲＡＴにフォールバックすることを示すためのメッセージをＰＳ  ＲＡＴで送信するステップを含む実施形態１〜３のいずれか１つの記載の方法。
【００６９】
５．ＣＳ  ＲＡＴ体系の識別子は、国際移動加入者識別情報である実施形態１〜４のいずれか１つに記載の方法。
【００７０】
６．ページングメッセージ内のＷＴＲＵ識別子が受信側ＷＴＲＵの保管済み識別子と一致しないという条件でページングメッセージを破棄するステップをさらに含む実施形態１〜５のいずれか１つに記載の方法。
【００７１】
７．ページングメッセージ内のＷＴＲＵ識別子が受信側ＷＴＲＵの保管済み識別子と一致しないという条件でＷＴＲＵをＰＳ  ＲＡＴに再接続するステップを含む実施形態１〜６のいずれか１つに記載の方法。
【００７２】
８．ＷＴＲＵは、アンテナと、アンテナと通信する受信機と、アンテナと通信する送信機と、その受信機および送信機と通信するプロセッサであって、ＷＴＲＵ識別子およびドメイン標識を含むページングメッセージであって、前記ドメイン標識が、ＣＳ  ＲＡＴ上のサービスに関するページングメッセージであるかを示す、ページングメッセージをＰＳ  ＲＡＴを介して受信し、ページングメッセージ内のＷＴＲＵ識別子はＷＴＲＵの保管済み識別子と一致するかを判定し、ページングメッセージ内のＷＴＲＵ識別子がＷＴＲＵの保管済み識別子と一致するという条件でＣＳ  ＲＡＴへのフォールバック手順を実行し、ＷＴＲＵに割り当てられたＣＳ  ＲＡＴ体系の識別子を使用してページングメッセージに応答するように構成された受信機とを含む。
【００７３】
９．ページングメッセージ内のＷＴＲＵ識別子は、Ｓ一時移動加入者識別情報である実施形態８に記載のＷＴＲＵ。
【００７４】
１０．ページングメッセージ内のＷＴＲＵ識別子は、国際移動加入者識別情報である実施形態８に記載のＷＴＲＵ。
【００７５】
１１．プロセッサはさらに、ＰＳ  ＲＡＴでメッセージを送信することによりＣＳ  ＲＡＴへのフォールバック手順を開始するように構成された実施形態８〜１０のいずれか１つに記載のＷＴＲＵ。
【００７６】
１２．ＣＳ  ＲＡＴ体系の識別子は、国際移動加入者識別情報である実施形態８〜１１のいずれか１つに記載のＷＴＲＵ。
【００７７】
１３．プロセッサはさらに、ページングメッセージ内のＷＴＲＵ識別子がＷＴＲＵの保管済み識別子と一致しないという条件でページングメッセージを破棄するように構成された実施形態８〜１２のいずれか１つに記載のＷＴＲＵ。
【００７８】
１４．ページングメッセージ内のＷＴＲＵ識別子がＷＴＲＵの保管済み識別子と一致しないという条件でＷＴＲＵをＰＳ  ＲＡＴに再接続するようにさらに構成された実施形態８〜１３のいずれか１つに記載のＷＴＲＵ。
【００７９】
１５．ＰＳ  ＲＡＴからＣＳ  ＲＡＴへのフォールバック手順を実施する方法は、ＰＳ  ＲＡＴでＷＴＲＵのページングを開始するステップと、ページングメッセージをＰＳ  ＲＡＴを介してＷＴＲＵに送信するステップであって、そのページングメッセージはＷＴＲＵ識別子およびドメイン標識を含み、そのドメイン標識はページングメッセージがＣＳ  ＲＡＴ上のサービスに関するかを示す、ステップと、フォールバック開始メッセージをＰＳ  ＲＡＴを介してＷＴＲＵから受信するステップと、ページング応答メッセージをＷＴＲＵから受信するステップであって、そのページング応答メッセージはＷＴＲＵのＣＳ  ＲＡＴ体系の識別子を含む、ステップとを含む。
【００８０】
１６．ページングメッセージ内のＷＴＲＵ識別子は、Ｓ一時移動加入者識別情報である実施形態１５に記載の方法。
【００８１】
１７．ページングメッセージ内のＷＴＲＵ識別子は、国際移動加入者識別情報である実施形態１５に記載の方法。
【００８２】
１８．ＣＳ  ＲＡＴ体系の識別子は、国際移動加入者識別情報である実施形態１５〜１７のいずれか１つに記載の方法。
【００８３】
１９．ＷＴＲＵに割り当てられた異なる識別子間のマッピングを維持するステップであって、そのＷＴＲＵは任意の既知の識別子によりページング可能である、ステップをさらに含む、実施形態１５〜１８のいずれか１つに記載の方法。
【００８４】
２０．ＷＴＲＵでの組合せ型トラッキングエリア更新および位置エリア更新手順を実行する方法は、ＷＴＲＵがＰＳ  ＲＡＴおよびＣＳ  ＲＡＴに接続されているかを判定するステップと、トラッキングエリア更新を実行するためのトリガ条件を検出するステップであって、そのトリガ条件は、ＷＴＲＵが、入力されたエリアのトラッキングエリア識別子が、そのＷＴＲＵによって事前に登録されたトラッキングエリアのリスト内に含まれないエリアに入ることを含む、ステップと、トリガ条件を検出すると、組合せ型トラッキングエリア更新および位置エリア更新手順を実行するステップとを含む。
【００８５】
上記では機能および要素は特定の組合せで説明されているが、各機能または要素は、他の機能および要素なしで単独でも使用可能であるし、他の機能および要素の有無に関係なく様々な組合せで使用することも可能である。本明細書に記載した方法またはフローチャートは、汎用コンピュータまたはプロセッサによる実行用にコンピュータ読み取り可能なストレージ媒体に組み込まれたコンピュータプログラム、ソフトウェア、またはファームウェアとして実装することができる。コンピュータ読み取り可能なストレージ媒体の例には、ＲＯＭ(read only memory)、ＲＡＭ(randam access memory)、レジスタ、キャッシュメモリ、半導体メモリデバイス、内部ハードディスクおよび取り外し可能ディスクなどの磁気媒体、光磁気媒体、ならびにＣＤ−ＲＯＭディスクおよびＤＶＤ(digital versatile disk)などの光媒体がある。
【００８６】
適切なプロセッサの例として、汎用プロセッサ、専用プロセッサ、従来のプロセッサ、ＤＳＰ(digital signal processor)、複数のマイクロプロセッサ、ＤＳＰコアと関連付けられた１つまたは２つ以上のマイクロプロセッサ、コントローラ、マイクロコントローラ、ＡＳＩＣ(Application Specific Integrated Circuit)、ＦＰＧＡ(Field Programmable Gate Array)回路、任意の他のタイプのＩＣ(integrated circuit)、および／または状態マシンがある。
【００８７】
ＷＴＲＵ、ユーザ機器、端末、基地局、ＲＮＣ(radio network controller)、または任意のホストコンピュータで使用される高周波送受信機を実装するためにソフトウェアと関連付けられたプロセッサが使用できる。ＷＴＲＵは、ハードウェアおよび／またはソフトウェアの形で実装されるモジュール、例えば、カメラ、ビデオカメラモジュール、テレビ電話、スピーカーホン、振動デバイス、スピーカー、マイクロホン、テレビ送受信機、ハンドフリーヘッドセット、キーボード、Ｂｌｕｅｔｏｏｔｈ（登録商標）モジュール、ＦＭ無線ユニット、ＬＣＤ(liquid crystal display)ディスプレイユニット、ＯＬＥＤ(organic light-emitting diode)ディスプレイユニット、デジタル音楽プレーヤ、メディアプレーヤ、ビデオゲームプレーヤモジュール、インターネットブラウザ、および／または任意のＷＬＡＮ(wireless local area network)またはＵＷＢ(Ultra Wide Band)モジュールと組み合わせて使用することができる。
【図１】
0005426676.tif 000002
【図２】
0005426676.tif 000003
【図３】
0005426676.tif 000004
【図４】
0005426676.tif 000005
【図５】
0005426676.tif 000006
【図６】
0005426676.tif 000007
【図７】
0005426676.tif 000008
【図８】
0005426676.tif 000009
【図９】
0005426676.tif 000010
【図１０】
0005426676.tif 000011
【図１１】
0005426676.tif 000012
【図１２】
0005426676.tif 000013
【図１３】
0005426676.tif 000014
【図１４】
0005426676.tif 000015